(57)【要約】【課題】対向設置されたラック群間の通路を導風路とする電算機室空調システムにおいて、通路の端部を覆う端部遮蔽体を簡単で低コストな構成とし、対向するラック群の異なる挙動にも端部遮蔽体を対応させる。【解決手段】通路４（導風路）の長さ方向の端部を覆う端部遮蔽体１０が、通路４を挟んで対向するラック群３Ｌの両上面３ｄに架け渡されて該両上面３ｄに支持されると共に前記両上面３ｄの一方に移動可能に支持されるフレーム１１と、フレーム１１と通路４を挟んで対向するラック群３Ｌの前記長さ方向の端部とにそれぞれ着脱可能に取り付けられるシート２１とを備える。【選択図】図２
2014052820.tif 000002
【特許請求の範囲】
【請求項１】
通路の両側に設置されて給気面から冷却用空気を給気すると共に排気面から熱を帯びた空気を排気する機器収容ラック群と、空気調和装置とを備え、前記空気調和装置から吹き出された冷却用空気が床下の内部空間を流通して床面に設けられた孔から床上に吹き出され、この冷却用空気が前記ラック群に収容された機器を冷却した後、熱を帯びた空気として前記ラック群の排気面を流動して前記空気調和装置に再び吸引される電算機室空調システムにおいて、
前記通路の長さ方向の端部を覆う端部遮蔽体を備え、
前記端部遮蔽体が、
前記通路を挟んで対向するラック群の両上面に架け渡されて該両上面に支持されると共に、少なくとも前記両上面の一方に移動可能に支持されるフレームと、
前記フレーム及び前記ラック群の前記長さ方向の端部にそれぞれ着脱可能に取り付けられるシートと、
を備えることを特徴とする電算機室空調システム。
【請求項２】
前記シートが、前記フレーム及び前記ラック群に面ファスナで取り付けられることを特徴とする請求項１に記載の電算機室空調システム。
【請求項３】
前記シートが、前記長さ方向と直交する方向で伸縮可能とする弛み部を有することを特徴とする請求項１又は２に記載の電算機室空調システム。
【請求項４】
前記シートの前記長さ方向と直交する方向の端部に、前記長さ方向に沿って屈曲する屈曲片が形成され、この屈曲片が、前記ラック群の前記通路に面する前面に面ファスナで着脱可能に取り付けられることを特徴とする請求項１から３の何れか一項に記載の電算機室空調システム。
【請求項５】
前記シートが、線ファスナで開閉して前記通路への作業者の出入りを可能とする扉部を有することを特徴とする請求項１から４の何れか一項に記載の電算機室空調システム。
【請求項６】
前記シートの前記扉部外方の側辺部の下端に、前記線ファスナ操作時の前記側辺部の浮きを抑える踏み付け部を有することを特徴とする請求項５に記載の電算機室空調システム。
【請求項７】
前記フレーム及びシートが、前記ラック群に対して着脱可能に取り付けられることを特徴とする請求項１から６の何れか一項に記載の電算機室空調システム。
【発明の詳細な説明】
【技術分野】
【０００１】
本発明は、電算機室空調システムに関する。
【背景技術】
【０００２】
従来、通信機械室等の電算機室において、複数のＩＴ機器収容ラックが並んでラック群を形成し、このラック群が通路を挟んで対向設置され、ラック群の端部側には空気調和装置が設置されたものがある。このような電算機室の一般的な空調方式では、空気調和装置から吹き出された冷気が二重床内に供給され、この冷気が対向するラック群間の二重床開口パネルを通じて通路内に供給された後、ＩＴ機器に給気されてこれを冷却する。
しかし、二重床開口パネルを通じて通路内に供給された冷気の一部は、ＩＴ機器から排気された暖気と混合され、ＩＴ機器の高温障害や空調の効率低下等を招くことがある。
そこで、ラック群間の通路の端部や天井部等を遮蔽体で覆うことにより、ＩＴ機器から排気された暖気と空気調和装置から吹き出された冷気とが混合しないように構成されたものがある（例えば、特許文献１参照）。
【先行技術文献】
【特許文献】
【０００３】
【特許文献１】特許第３８３５６１５号公報
【発明の概要】
【発明が解決しようとする課題】
【０００４】
ところで、通路の端部にパネル材で構成された端部遮蔽体を設け、これを対向するラック群に架け渡すと、地震時等において対向するラック群が相互に異なる挙動をした場合に、端部遮蔽体に設けた出入り口が変形したり、端部遮蔽体の脱落及び破損等が生じたりする虞がある。また、パネル材からの反力によってラック群に悪影響を及ぼす虞がある。また、パネル材からなる端部遮蔽体を設ける場合、新たに支柱を設ける等の必要があり、ラック群近傍での工事が必要になるか複雑な構造が必要になる。
【０００５】
本発明は、上記事情に鑑みてなされたもので、対向設置されたラック群間の通路を導風路とする電算機室空調システムにおいて、通路の端部を覆う端部遮蔽体を簡単で低コストな構成とし、対向するラック群の異なる挙動にも端部遮蔽体を対応させることを課題とする。
【課題を解決するための手段】
【０００６】
上記課題の解決手段として、請求項１に記載した発明は、通路の両側に設置されて給気面から冷却用空気を給気すると共に排気面から熱を帯びた空気を排気する機器収容ラック群と、空気調和装置とを備え、前記空気調和装置から吹き出された冷却用空気が床下の内部空間を流通して床面に設けられた孔から床上に吹き出され、この冷却用空気が前記ラック群に収容された機器を冷却した後、熱を帯びた空気として前記ラック群の排気面を流動して前記空気調和装置に再び吸引される電算機室空調システムにおいて、前記通路の長さ方向の端部を覆う端部遮蔽体を備え、前記端部遮蔽体が、前記通路を挟んで対向するラック群の両上面に架け渡されて該両上面に支持されると共に、少なくとも前記両上面の一方に移動可能に支持されるフレームと、前記フレーム及び前記ラック群の前記長さ方向の端部にそれぞれ着脱可能に取り付けられるシートと、を備えることを特徴とする。
【０００７】
この構成によれば、対向するラック群の両上面に跨ってフレームを載置し、このフレーム及びラック群の端部にシートを取り付けるという簡単な構造によって、端部遮蔽体のコストダウンを図ることができる。また、通路の端部を覆う端部遮蔽体の設置が容易になり、大掛かりな加工等のない簡易な工事となって、工事費用のコストダウンを図ることができる。また、既存のフレーム材及びシート材の流用によるコストダウンを図ることもできる。また、端部遮蔽体にシートを用いることで、挙動したラック群に対する悪影響を防止することができる。
また、対向するラック群に地震等による異なる挙動が生じても、端部遮蔽体のフレームが対向するラック群の両上面の少なくとも一方に移動可能に支持されることで、フレームが前記異なる挙動を許容しつつ支持され、端部遮蔽体の落下や破損を防止することができる。
また、ＩＴ機器の入れ替え時等、大きいものの搬出入時には、端部遮蔽体を容易に着脱することができる。
【０００８】
本発明において、前記シートが、前記フレーム及び前記ラック群に面ファスナで取り付けられる構成であれば、端部遮蔽体の設置をより一層容易にすることができると共に、フレーム及びラック群にシートを連続的に取り付けることで、シートのバタつきを抑え、かつシート及びラック群間の隙間を無くし、空気調和装置の運転効率を向上させることができる。
本発明において、前記シートが、前記長さ方向と直交する方向で伸縮可能とする弛み部を有する構成であれば、対向するラック群に地震等による異なる挙動が生じても、フレームと共にシートも前記異なる挙動を許容でき、シートの破損を防止することができる。
本発明において、前記シートの前記長さ方向と直交する方向の端部に、前記長さ方向に沿って屈曲する屈曲片が形成され、この屈曲片が、前記ラック群の前記通路に面する前面に面ファスナで着脱可能に取り付けられる構成であれば、対向するラック群に異なる挙動が生じてシートに前記長さ方向と直交する方向の引っ張り力が作用した際、この力を受けたシートの屈曲片が屈曲線を起点にラック群の前面から容易に剥がれるため、シートの破損を防止することができる。
本発明において、前記シートが、線ファスナで開閉して前記通路への作業者の出入りを可能とする扉部を有する構成であれば、シートの着脱を不要として通路に対する出入りを容易にすることができる。
本発明において、前記シートの前記扉部外方の側辺部の下端に、前記線ファスナ操作時の前記側辺部の浮きを抑える踏み付け部を有する構成であれば、線ファスナを側辺部の下端から操作する際の操作がスムーズになり、通路に対する出入りをより一層容易にすることができる。
本発明において、前記フレーム及びシートが、前記ラック群に対して着脱可能に取り付けられる構成であれば、ＩＴ機器の入れ替え時等、大きいものの搬出入時には、通路の端部からフレームをも容易に着脱することができる。
【発明の効果】
【０００９】
本発明によれば、複数のラック群間の通路を導風路とした電算機室空調システムにおいて、通路端の遮蔽構造を、簡単で低コストに実現し、かつ複数のラック群の異なる挙動にも追従可能とする。
【図面の簡単な説明】
【００１０】
【図１】本発明の実施形態における電算機室空調システムの斜視図である。
【図２】上記電算機室空調システムの端部遮蔽体の第一実施形態の斜視図である。
【図３】図２の上面図である。
【図４】上記端部遮蔽体の第二実施形態の斜視図である。
【図５】図４の上面図である。
【発明を実施するための形態】
【００１１】
以下、本発明の実施形態について図面を参照して説明する。
図１は、建物の電算機室内に構成される電算機室空調システムを示す。電算機室は、床１、不図示の壁および天井に囲まれる。床１の上方には、二重床２が離間して設けられる。二重床２上には、複数のＩＴ機器収容ラック３が設置される。複数のＩＴ機器収容ラック３は、図では半数ずつ二列に並んで一対のラック群３Ｌを形成する。一対のラック群３Ｌは、通路４を挟んで対向設置される。以下、ラック群３Ｌに沿う方向を通路４の長さ方向、該長さ方向に直交する方向を幅方向という。
【００１２】
二重床２下の内部空間５には、各ラック３の電気配線（不図示）等が収容される。前記長さ方向で通路４の端部から通路４の延長方向に離間した位置には、二重床２上に空気調和装置６が設置される。空気調和装置６は、その上面の吸込口６ａから室内の空気を吸い込んで冷却する。空気調和装置６が冷却した空気は、空気調和装置６の底面の吹出口６ｂから冷却用空気として二重床２の内部空間５に送出される。空気調和装置６の電気配線も二重床２の内部空間５に収容される。
【００１３】
二重床２の通路４に面する部位は、多数の吹き出し孔が開いた孔開きパネル７とされる。孔開きパネル７からは、二重床２の内部空間５に送出された冷却用空気が通路４内に吹き出される。各ラック３は、その筐体３ａの通路４に面する前面を給気面３ｂとする。各ラック３は、通路４内に吹き出した冷却用空気を給気面３ｂから筐体３ａ内に取り込み、筐体３ａ内に収容したＩＴ機器を冷却する。機器冷却後の暖気は、筐体３ａの上面（または背面）に設けたファン３ｃから上方（または背面方向）に排気される。
【００１４】
ここで、電算機室空調システムの基本作用について説明する。
各ラック３の運転時には、ファン３ｃが動作すると共に、空気調和装置６が運転され、空気調和装置６から吹き出した冷却用空気が二重床２の内部空間５に供給される。内部空間５に供給された冷却用空気は、空気調和装置６の送風圧およびファン３ｃの吸入圧を受けて、床面の孔開きパネル７から通路４内に吹き出し、各ラック３の給気面３ｂから筐体３ａ内に吸入される。筐体３ａ内に吸入された冷却用空気は、筐体３ａ内の発熱機器を冷却した後、筐体３ａの上方または背面方向に放出される。この放出された空気（暖気）は、各ラック３の上方を通って空気調和装置６の吸込口６ａに吸い込まれ、再び冷却用空気となって内部空間５に吹き出される。
【００１５】
各ラック３において、筐体３ａの上面または背面から排気された暖気がそのまま筐体３ａの前面から吸入されないように、対向するラック群３Ｌの上面３ｄ間に渡る上部遮蔽体を設けて通路４の上部を閉塞することが望ましい。また、通路４の前記長さ方向の端部は、通路４内に供給された冷気の放出を抑えるために、対向するラック群３Ｌの端部間に渡る端部遮蔽体を設けて通路４の端部を閉塞することが望ましい。
【００１６】
以下、本実施形態の前記端部遮蔽体１０について説明する。
図２、図３に示すように、端部遮蔽体１０は、通路４を挟んで対向するラック群３Ｌの前記長さ方向の端部の両上面３ｄに架け渡される棒状のフレーム１１と、フレーム１１及び対向するラック群３Ｌの前記長さ方向の端部にそれぞれ着脱可能に取り付けられて通路４の端部を覆うシート２１とを備える。
【００１７】
フレーム１１は、前記幅方向に沿って延びる円管状とされる。フレーム１１は、前記幅方向の両端部の一方（以下、一端部１２という。）が、同側のラック群３Ｌの上面３ｄに固定された第一受け具１４に移動可能に支持されると共に、前記幅方向の両端部の他方（以下、他端部１３という。）が、同側のラック群３Ｌの上面３ｄに固定された第二受け具１５に固定的に保持される。図中符号１１ａは、フレーム１１の他端部１３に設けられてフレーム１１の軸回りの回転を規制する回転止めを示す。各受け具１４，１５は、クランプ等によってフレーム１１を着脱可能に保持する。フレーム１１、第一受け具１４及び第二受け具１５は、金属又は樹脂により剛性をもって形成される。
【００１８】
フレーム１１の上面、及び対向するラック群３Ｌの前記長さ方向の端部における通路４に面する前面には、シート２１を着脱可能に取り付けるための面ファスナ１６，１７，１８がそれぞれ配置される。各面ファスナ１６，１７，１８は、例えばＪＩＳ  Ｌ  ３４１６に規定されるもので、両面テープや接着材等によりフレーム１１及びラック群３Ｌ並びにシート２１に固定される。なお、本実施形態では、フレーム１１が前記幅方向に沿う単一のパイプであり、シート２１は単にフレーム１１の上面に取り付けられるが、フレーム１１が前記長さ方向に広い構造体である場合には、その前記長さ方向の端部にシート２１が取り付けられる。シート２１の上縁部をフレーム１１に取り付ける手段は、面ファスナ１６に限らず、接着剤や両面テープ等での固定でもよく、シート２１をフレーム１１に巻き付けての固定でもよい。
【００１９】
フレーム１１の前記一端部１２は、同側のラック群３Ｌの上面３ｄに移動可能に支持されることで、地震等によりラック群３Ｌに大きな挙動が生じた際にも、ラック群３Ｌに対して水平移動及び上方移動が可能である。このため、対向するラック群３Ｌが相互に異なる挙動をした場合にも、フレーム１１が変形、破損又は脱落等せず、前記異なる挙動を許容可能である。なお、図中符号１４ａは第一受け具１４に係止されてフレーム１１の一端部１２の離脱を制限するケーブルを示す。
【００２０】
シート２１は、例えば可撓性及び強度並びにある程度の気密性を有するシート材からなる。シート２１は、通路４の前記長さ方向の端部に整合する矩形状の本体部２２と、本体部２２の上縁から延びる上縁片２３と、本体部２２におけるフレーム１１の一端部１２側の側縁から通路４の延長方向に屈曲して同側のラック群３Ｌの前面に沿って延びる第一屈曲片２４と、本体部２２におけるフレーム１１の他端部１３側の側縁から通路４の延長方向に屈曲して同側のラック群３Ｌの前面に沿って延びる第二屈曲片２５とを有する。
【００２１】
シート２１の上縁片２３は、フレーム１１の上面に巻き付くように湾曲し、該上縁片２３がフレーム１１の上面に面ファスナ１６により着脱可能に取り付けられる。フレーム１１は、前記第二受け具１５に軸回りで回転不能に固定されており、このフレーム１１の上面にシート２１の上縁片２３が巻き付くように取り付けられる。これにより、シート２１に自重等により該シート２１に下方への荷重が作用しても、この荷重が上縁片２３をフレーム１１に取り付ける面ファスナ１６を剥がすようには作用せず、面ファスナ１６の面積を抑えた上で効率よくシート２１の取り付け強度を高めることができる。
【００２２】
シート２１の第一屈曲片２４及び第二屈曲片２５は、それぞれ同側のラック群３Ｌの前面に面ファスナ１７，１８により着脱可能に取り付けられる。図中符号２４ａは第一屈曲片２４基端の屈曲線を、符号２５ａは第二屈曲片２５基端の屈曲線をそれぞれ示す。
【００２３】
シート２１の本体部２２は、通路４への作業者の出入りを可能とする扉部２６を有する。扉部２６は、本体部２２に上辺部２２ａ、フレーム１１の一端部１２側の側辺部２２ｂ及びフレーム１１の他端部１３側の側辺部２２ｃを残して矩形状に形成される。扉部２６は、その両外側縁が両側辺部２２ｂ，２２ｃの内側縁に、それぞれ線ファスナ（スライドファスナ）２７で着脱可能に取り付けられる。図２ではフレーム１１の他側部１３側の線ファスナ２７のみ示す。
【００２４】
シート２１の両側辺部２２ｂ，２２ｃの下端には、線ファスナ２７のスライダを側辺部２２ｂ，２２ｃの下端から操作する際に、側辺部２２ｂ，２２ｃ及びこれに連なる同側の屈曲片２４，２５が持ち上がらないようにするための踏み付け部２８が設けられる。この踏み付け部２８を踏み付けた状態で作業者が線ファスナ２７を操作することで、側辺部２２ｂ，２２ｃに連なる屈曲片２４，２５の面ファスナ１７，１８の剥がれ等を抑えてスムーズに扉部２６を開閉することができる。
【００２５】
前記幅方向におけるフレーム１１の一端部１２側において、シート２１の本体部２２の側辺部２２ｂは、例えばＮ字状に折り返して屈曲線２４ａに至る弛み部２９が形成される。これにより、フレーム１１の一端部１２が同側のラック群３Ｌに対して相対移動しても、シート２１では弛み部２９が前記相対移動を許容し、該相対移動によるシート２１への負荷入力が防止される。
【００２６】
以上説明したように、上記実施形態における電算機室空調システムは、通路４（導風路）の前記長さ方向の端部を覆う端部遮蔽体１０が、通路４を挟んで対向するラック群３Ｌの両上面３ｄに架け渡されて該両上面３ｄに支持されると共に前記両上面３ｄの一方に移動可能に支持されるフレーム１１と、フレーム１１及びラック群３Ｌの前記長さ方向の端部にそれぞれ着脱可能に取り付けられるシート２１とを備えるものである。
【００２７】
この構成によれば、対向するラック群３Ｌの両上面３ｄに跨ってフレーム１１を載置し、このフレーム１１及びラック群３Ｌの端部にシート２１を取り付けるという簡単な構造によって、端部遮蔽体１０のコストダウンを図ることができる。また、通路４の端部を覆う端部遮蔽体１０の設置が容易になり、大掛かりな加工等のない簡易な工事となって、工事費用のコストダウンを図ることができる。また、既存のフレーム材及びシート材の流用によるコストダウンを図ることもできる。また、端部遮蔽体１０にシート２１を用いることで、挙動したラック群３Ｌに対する悪影響を防止することができる。
また、対向するラック群３Ｌに地震等による異なる挙動が生じても、端部遮蔽体１０のフレーム１１が対向するラック群３Ｌの両上面３ｄの少なくとも一方に移動可能に支持されることで、フレーム１１が前記異なる挙動を許容しつつ支持され、端部遮蔽体１０の落下や破損を防止することができる。
また、ＩＴ機器の入れ替え時等、大きいものの搬出入時には、端部遮蔽体１０を容易に着脱することができる。このとき、シート２１のみならずフレーム１１もラック群３Ｌに対して着脱可能であることが望ましい。
【００２８】
また、シート２１がフレーム１１及びラック群３Ｌに面ファスナ１６，１７，１８で取り付けられることで、端部遮蔽体１０の設置をより一層容易にすることができると共に、フレーム１１及びラック群３Ｌにシート２１を連続的に取り付けることで、シート２１のバタつきを抑え、かつシート２１とラック群３Ｌとの隙間を無く、空気調和装置６の運転効率を向上させることができる。
また、フレーム１１がラック群３Ｌに移動可能に支持される側において、シート２１が、前記幅方向で伸縮可能とする弛み部２９を有することで、対向するラック群３Ｌに地震等による異なる挙動が生じても、フレーム１１と共にシート２１も前記異なる挙動を許容でき、シート２１の破損を防止することができる。
【００２９】
また、シート２１が、線ファスナ２７で開閉して前記通路４への作業者の出入りを可能とする扉部２６を有することで、シート２１の着脱を不要として通路４に対する出入りを容易にすることができる。
また、シート２１の扉部２６外方の両側辺部２２ｂ，２２ｃの下端に、線ファスナ２７操作時の側辺部２２ｂ，２２ｃの浮きを抑える踏み付け部２８を有することで、線ファスナ２７を側辺部２２ｂ，２２ｃの下端から操作する際の操作がスムーズになり、通路４に対する出入りをより一層容易にすることができる。
【００３０】
ここで、図４、図５は、上記端部遮蔽体１０の変形例として、弛み部２９を無くした端部遮蔽体１０’を示す。
この端部遮蔽体１０’を備える電算機室空調システムにおいても、端部遮蔽体１０’の少なくともフレーム１１がラック群３Ｌに移動可能に支持される側において、シート２１の前記幅方向の端部に、前記長さ方向に沿って屈曲する屈曲片２４が形成され、この屈曲片２４が、前記ラック群３Ｌの前記通路４に面する前面に面ファスナ１７で着脱可能に取り付けられることで、対向するラック群３Ｌに異なる挙動が生じてシート２１に前記幅方向の引っ張り力が作用した際、この力を受けたシート２１の屈曲片２４が屈曲線２４ａを起点にラック群３Ｌの前面から容易に剥がれるため、上記端部遮蔽体１０と同様、シート２１の破損を防止することができる。なお、端部遮蔽体１０’では、屈曲片２４の面ファスナ１７を剥がす際の上縁片２３基端の隅部の破損を防止するために、該隅部に補強シート１９を取り付けている。
なお、弛み部２９を有する端部遮蔽体１０の場合、シート２１に屈曲片２４，２５を形成せず、本体部２２の両側を延長方向に延ばし、この延長部分をそれぞれ同側のラック群３Ｌの端面に面ファスナにより着脱可能に取り付けた構成としてもよい。
【００３１】
なお、本発明は上記実施形態に限られるものではなく、例えば、フレーム１１は、円形断面に限らず角形断面等であってもよい。フレーム１１及びラック群３Ｌに対するシート２１の取り付けは、面ファスナの他にもマグネットや吸盤、クランプ機構等の手段を採用してもよい。
フレーム１１の一端部１２のみがラック群３Ｌの上面３ｄに移動可能に支持される構成に限らず、フレーム１１の両端部１２，１３がラック群３Ｌの両上面３ｄにそれぞれ移動可能に支持される構成でもよい。
通路４に冷却用空気ではなく排気された暖気を流通させる構成でもよい。この場合、ラック群３Ｌの通路４に臨む面、あるいは上部遮蔽体１０に覆われる面が排気面となる。
そして、上記実施形態における構成は本発明の一例であり、当該発明の要旨を逸脱しない範囲で種々の変更が可能である。
【符号の説明】
【００３２】
３Ｌ  ラック群（機器収容ラック群）
３ｂ  給気面
３ｄ  上面（排気面）
４  通路
５  内部空間
６  空気調和装置
１０  端部遮蔽体
１１  フレーム
２１  シート
２２ｂ，２２ｃ  側辺部
１６，１７，１８  面ファスナ
２４，２５  屈曲片
２６  扉部
２７  線ファスナ
２８  踏み付け部
２９  弛み部
【図１】
2014052820.tif 000003
【図２】
2014052820.tif 000004
【図３】
2014052820.tif 000005
【図４】
2014052820.tif 000006
【図５】
2014052820.tif 000007